(57)【要約】【課題】脚軸１を回転させることなく微調整を可能としながら大幅調整も容易に行えるようにする。【解決手段】支持対象物Ｐを高さ調整可能に支持する脚装置である。スライダ体４には下降位置においてロック体３３の回動組み付け位置より下方においてロック体３３の背面に押し当たってロック体３３の下端部をその雌ねじ状部３３１を脚軸１の雄ねじ部１５に噛み合わせるように前進位置に位置づけさせる周回押圧部４３が形成されている。スライダ体４の上昇位置においてスライダ体４の周回押圧部４３がロック体３３の回動組み付け位置より上方においてこのロック体３３の背面に押し当たってロック体３３の下端部が雌ねじ状部３３１を脚軸１の雄ねじ部１５に噛み合わせない後退位置に位置づけられる。【選択図】図１
2005299760.tif 000002
【特許請求の範囲】
【請求項１】
支持対象物を高さ調整可能に支持する脚装置であって、
下端部に接地部を有した雄ねじ状をなす脚軸と、この脚軸に昇降可能に支持される昇降体とを備えており、
この昇降体は、
支持対象物への固定部を備えたベースと、
脚軸の通し抜け空間を有し、この通し抜け空間に通された脚軸を回転中心として回転可能にベースに組み付けられたダイヤル体と、
通し抜け空間を囲うリング状をなすと共に、上下方向に移動可能にベースに組み合わされ、かつ、付勢手段によって下降位置に位置づけられるようにされたスライダ体と、
通し抜け空間を囲うリング状をなすと共に、脚軸の軸線を巡る向きに回動操作可能にベースに組み合わされ、かつ、前記付勢手段によって上方からスライダが常時押し付けられる操作体とを有しており、
ダイヤル体には、中間部においてこのダイヤル体に回動可能に組み付けられると共に、前面側の下端部に前記通し抜け空間に通された脚軸の雄ねじ部に噛み合う雌ねじ状部を有したロック体が備えられており、
スライダ体のリング内周部には、このスライダ体の下降位置においてロック体の回動組み付け位置より下方においてこのロック体の背面に押し当たってこのロック体の下端部をその雌ねじ状部を脚軸の雄ねじ部に噛み合わせるように前進位置に位置づけさせる周回押圧部が形成されており、
スライダ体及び操作体の双方又はいずれか一方には、操作体の回動操作によって前記付勢手段の付勢に抗してスライダ体を上昇位置まで押し上げるように形成されたカム部が形成されており、
このスライダ体の上昇位置においてスライダ体の周回押圧部がロック体の回動組み付け位置より上方においてこのロック体の背面に押し当たってこのロック体の下端部がその雌ねじ状部を脚軸の雄ねじ部に噛み合わせない後退位置に位置づけられるようになっていることを特徴とする脚装置。
【請求項２】
ベースの上部に筒下端を通し抜け空間に連通させて筒内部に脚軸を通させるガイド筒が設けられていると共に、
このガイド筒部の筒側部に上下方向に沿った割溝が形成されており、
この割溝を通じて脚軸に抜け止めネジが止め付けられていることを特徴とする請求項１記載の脚装置。
【請求項３】
スライダ体及び操作体の双方又はいずれか一方に、脚軸の軸線を巡る向きにおいて隣り合うカム部との間に間隔を開けて二カ所以上のカム部が形成してあることを特徴とする請求項１又は請求項２に記載の脚装置。
【請求項４】
脚軸の下端側に周回鍔が形成されていると共に、
内周部にこの周回鍔が入り込む周回溝を備えたゴム又は軟質のプラスチックよりなるキャップをこの脚軸の下端にはめ付けて接地部が形成されており、
しかも、筒下端に、このキャップの外周部に形成された周回溝に入り込む周回掛合部を備えたスリーブをこのキャップの側部にはめ付けるようにして構成されていることを特徴とする請求項１から請求項３のいずれか１項に記載の脚装置。
【発明の詳細な説明】
【技術分野】
【０００１】
この発明は、各種の支持対象物に取り付けられてこの支持対象物の脚となると共に、かかる支持対象物を高さ調整可能に支持する機能を備えた脚装置の改良に関する。
【背景技術】
【０００２】
雄ねじ状をなす脚であって下端に円盤状をなす接地部を備えた脚と、
支持対象物に固定されると共にこの脚を通し抜けさせるようにしてこの脚に組み合わされるケースと、
このケースに回動可能に組み付けられると共にこのケースに通された脚が通される軸支孔を有し、さらに、この軸支孔内にこの脚の雄ねじに噛み合う凹凸部を備えたレバーとを備えてなる機器用調整脚がある。（特許文献１参照）
【０００３】
かかる調整脚にあっては、前記レバーの操作によって脚の雄ねじとレバーの軸支孔とのかみ合わせを解いて、脚に沿ってケースを上下に大きく移動させることができ、これにより、機器の高さを大幅調整することができる。それと共に、接地部を把持してこの接地部を回転操作させることにより、ケース下部からの脚の突き出し寸法を少しづつ変えることができ、これにより機器の高さを微調整することができる。
【０００４】
しかるに、かかる調整脚にあっては、前記微調整を脚の回転によってなさしめるものであるため、この微調整にあたっての接地部の回転により機器のセッティング位置に少なからずズレを生じさせてしまうものであった。また、この微調整にあたっては接地部を把持してかかる脚の回転をなさしめることとなるが、接地部は脚の下端にあるためこの把持は必ずしも容易でなく、これを容易にしようとすると接地部の厚さ寸法を大きくせざるを得ないものであった。
【特許文献１】特開平１１−８２８８１号公報
【発明の開示】
【発明が解決しようとする課題】
【０００５】
この発明が解決しようとする主たる問題点は、この種の脚装置において、脚軸を回転させることなく前記微調整を可能としながら、前記大幅調整も容易に行えるようにする点にある。
【課題を解決するための手段】
【０００６】
前記問題点を解決するために、この発明にあっては、脚装置を以下の（１）〜（７）の構成を備えたものとした。
（１）支持対象物を高さ調整可能に支持する脚装置であって、
（２）下端部に接地部を有した雄ねじ状をなす脚軸と、この脚軸に昇降可能に支持される昇降体とを備えており、
（３）この昇降体は、
支持対象物への固定部を備えたベースと、
脚軸の通し抜け空間を有し、この通し抜け空間に通された脚軸を回転中心として回転可能にベースに組み付けられたダイヤル体と、
通し抜け空間を囲うリング状をなすと共に、上下方向に移動可能にベースに組み合わされ、かつ、付勢手段によって下降位置に位置づけられるようにされたスライダ体と、
通し抜け空間を囲うリング状をなすと共に、脚軸の軸線を巡る向きに回動操作可能にベースに組み合わされ、かつ、前記付勢手段によって上方からスライダが常時押し付けられる操作体とを有しており、
（４）ダイヤル体には、中間部においてこのダイヤル体に回動可能に組み付けられると共に、前面側の下端部に前記通し抜け空間に通された脚軸の雄ねじ部に噛み合う雌ねじ状部を有したロック体が備えられており、
（５）スライダ体のリング内周部には、このスライダ体の下降位置においてロック体の回動組み付け位置より下方においてこのロック体の背面に押し当たってこのロック体の下端部をその雌ねじ状部を脚軸の雄ねじ部に噛み合わせるように前進位置に位置づけさせる周回押圧部が形成されており、
（６）スライダ体及び操作体の双方又はいずれか一方には、操作体の回動操作によって前記付勢手段の付勢に抗してスライダ体を上昇位置まで押し上げるように形成されたカム部が形成されており、
（７）このスライダ体の上昇位置においてスライダ体の周回押圧部がロック体の回動組み付け位置より上方においてこのロック体の背面に押し当たってこのロック体の下端部がその雌ねじ状部を脚軸の雄ねじ部に噛み合わせない後退位置に位置づけられるようになっている。
【０００７】
支持対象物にベースの固定部によって取り付けられた脚装置は、ダイヤル体を回転操作させることにより、昇降体の下面と脚軸の接地部との間の寸法を変え、これにより、支持対象物の高さの微調整が可能とされる。すなわち、ダイヤル体はロック体を有し、このロック体はその雌ねじ状部を脚軸の雄ねじ部に噛み合わせていることから、ダイヤル体を回転させるとダイヤル体は脚軸に沿って螺進又は螺退され、このダイヤル体に回転可能に組み合わされているベースも上昇又は下降される。これにより、少しづつ支持対象物の高さを変えることができる。この支持対象物の高さの微調整にあたっては、脚軸自体は回転されないことから、この微調整にあたって支持対象物のセッティング位置が変わってしまうことがない。
【０００８】
ここで前記スライダ体のリング内周部には、このスライダ体の下降位置においてロック体の回動組み付け位置より下方においてこのロック体の背面に押し当たってこのロック体の下端部をその雌ねじ状部を脚軸の雄ねじ部に噛み合わせるように前進位置に位置づけさせる周回押圧部が形成されていることから、このダイヤル体の回転操作によりどの位置にロック体が移動してもロック体は前記前進位置に適切に位置づけられる。
【０００９】
また、付勢手段による付勢に抗してスライダ体を上昇位置に押し上げるように操作体を回動操作させることにより、ロック体の下端部を前記後退位置に移動させることができ、これによって脚軸に沿って昇降体を大幅に上昇又は下降させることができる。すなわち、スライダ体が上昇位置に移動されるとこのスライダ体の周回押圧部がロック体の回動組み付け位置より上方においてこのロック体の背面に押し当たってこのロック体の下端部がその雌ねじ状部を脚軸の雄ねじ部に噛み合わせない後退位置に移動・位置づけられる。これにより、支持対象物の高さを大幅調整することができる。
【００１０】
前記ベースの上部に筒下端を通し抜け空間に連通させて筒内部に脚軸を通させるガイド筒が設けられていると共に、
このガイド筒部の筒側部に上下方向に沿った割溝が形成されており、
この割溝を通じて脚軸に抜け止めネジが止め付けられているようにしておくこともある。
【００１１】
このようにした場合、昇降体から予期せず脚軸が抜け出し、脚軸と昇降体とが分離してしまうことがない。
【００１２】
前記スライダ体及び操作体の双方又はいずれか一方に、脚軸の軸線を巡る向きにおいて隣り合うカム部との間に間隔を開けて二カ所以上のカム部が形成してあることもある。
【００１３】
このようにした場合、前記付勢手段の付勢によって下方に位置づけられているスライダ体を、操作体の回動操作によって、このスライダ体に水平方向の傾きを生じさせることなく、円滑に上昇させることができる。
【００１４】
前記脚軸の下端側に周回鍔が形成されていると共に、
内周部にこの周回鍔が入り込む周回溝を備えたゴム又は軟質のプラスチックよりなるキャップをこの脚軸の下端にはめ付けて接地部が形成されており、
しかも、筒下端に、このキャップの外周部に形成された周回溝に入り込む周回掛合部を備えたスリーブをこのキャップの側部にはめ付けるようにしておくこともある。
【００１５】
キャップは弾性変形特性を有しているが、キャップの側部にはめ付けられたスリーブによってキャップの内周部の周回溝から脚軸の周回鍔を抜け出させるようなこのキャップの弾性変形は抑止され、これにより脚軸の下端へのキャップのはめ付け状態を安定的に確保させることができる。
【発明の効果】
【００１６】
この発明にかかる脚装置によれば、ダイヤル体を回転操作することにより脚軸を回転させることなくベースを少しづつ上方又は下方に移動させて支持対象物の高さの微調整をなすことができると共に、操作体を回動操作することにより脚軸に沿ってベースを上方又は下方に移動させて支持対象物の高さの大幅調整をなすことができる。
【発明を実施するための最良の形態】
【００１７】
以下、図１ないし図２５に基づいて、この発明を実施するための最良の形態について説明する。
【００１８】
なお、ここで図１ないし図６は、実施の形態にかかる脚装置の利用状態をそれぞれ示しており、図２および図５は、操作体５を操作してスライダ体４を上昇位置に押し上げ、これによりダイヤル体３に組み込まれたロック体３３と脚軸１とのかみ合わせを解いた状態を特に示し、また、図３は、昇降体Ｍをもっとも上昇させた状態を特に示している。（図６においては支持対象物Ｐの表現を省略している。）
【００１９】
また、図７は、昇降体Ｍを構成する各部品をロック体３３を除いて断面にして示しており、また、図８は脚軸１の主要部を、図９および図１０はアッパーケース２１を、図１１ないし図１３はロアケース２２を、図１４ないし図１７はダイヤル体３を、図１８ないし図２０はスライダ体４を、図２１および図２２は操作体５を、図２３ないし図２５はロック体３３をそれぞれ示している。
【００２０】
この実施の形態にかかる脚装置は、各種の支持対象物Ｐに取り付けられてこの支持対象物Ｐの脚となると共に、かかる支持対象物Ｐを高さ調整（レベル調整）可能に支持する機能（アジャスター機能）を備えたものである。
【００２１】
具体的には、かかる脚装置は、例えば、いわゆる液晶プロジェクター、映写機、スライド映写機などの投影機の脚として、あるいはまた、三脚などの脚の下端部に取り付けられてこの脚の一部をなすものとして、用いることができる。この脚装置がかかる投影機に用いられる場合には、この投影機の投影レンズが設けられた前部側の下部に設けられてこの投影機の傾斜角を調整するように用いられ、これにより、この投影レンズから投影される映像がスクリーンなどに映し出される高さ位置を調整するように用いられる。
【００２２】
かかる脚装置は、脚軸１と昇降体Ｍとを備えている。
【００２３】
（脚軸１）
脚軸１は、下端部に接地部１０を有した雄ねじ状をなすように構成されている。図示の例にあっては、かかる脚軸１の下端側に周回鍔１１が形成されていると共に、
内周部にこの周回鍔１１が入り込む周回溝１２１を備えたゴム又は軟質のプラスチックよりなるキャップ１２をこの脚軸１の下端にはめ付けて接地部１０が形成されており、
しかも、筒下端に、このキャップ１２の外周部に形成された周回溝１２２に入り込む周回掛合部１３１を備えたスリーブ１３をこのキャップ１２の側部にはめ付けるようにしてある。
【００２４】
具体的には、図示の例にあっては、キャップ１２は筒下端を閉塞させると共に、この閉塞された筒下端の外面部をドーム状をなすように成形されてなり、また、筒上端を解放させると共に、この解放された筒上端に外向きに張り出す周回鍔１２３を備えた筒状をなすように構成されている。また、かかるキャップ１２は、その長さ方向ほぼ中程の位置に前記内周部の周回溝１２１を備えていると共に、この内周部の周回溝１２１の形成位置よりも下方に前記外周部の周回溝１２２を備えている。一方、スリーブ１３は、キャップ１２の外径とほぼ等しい内径を備えた筒状をなすと共に、キャップ１２の筒上端に形成された周回鍔１２３と外周部の周回溝１２２との間に亘る長さを持つように構成されている。それと共に、このスリーブ１３の筒下端の内周部には突部状をなす周回掛合部１３１が形成されている。そして、図示の例にあっては、キャップ１２を弾性変形させながら脚軸１の下端に形成された周回鍔１１をキャップ１２の内周部の周回溝１２１に入れ込ませるようにしてこの脚軸１の下端部にキャップ１２をはめ付けた後、このキャップ１２の筒上端に形成された周回鍔１２３にスリーブ１３の筒上端を突き当てる位置までこのキャップ１２の外側に下方からスリーブ１３をはめ付け、この突き当て位置においてこのスリーブ１３の筒下端に形成された周回掛合部１３１をキャップ１２の外周部の周回溝１２２にキャップ１２側の弾性変形とその後の弾発によって入れ込み掛合させるようにして、前記接地部１０を構成させるようにしている。
【００２５】
キャップ１２は弾性変形特性を有しているが、キャップ１２の側部にはめ付けられたスリーブ１３によってキャップ１２の内周部の周回溝１２１から脚軸１の周回鍔１１を抜け出させるようなこのキャップ１２の弾性変形は抑止され、これにより脚軸１の下端へのキャップ１２のはめ付け状態を安定的に確保させることができる。
【００２６】
すなわち、かかる脚軸１は、前記キャップ１２の閉塞された筒下端の外面部を床面、地面、テーブル面などの接地面に接地させて、この接地面Ｇ上に支持対象物Ｐを支持させるようになっている。
【００２７】
また図示の例では、かかる脚軸１は、その中間部に無ねじ部１４を有している。図示の例では、この脚軸１の無ねじ部１４より下方にある雄ねじ部１５に前記昇降体Ｍを構成する後述するダイヤル体３のロック体３３の雌ねじ状部３３１が噛み合わされ、このダイヤル体３の回転操作によって昇降体Ｍは上昇又は下降されるが、この昇降体Ｍが上昇され切った位置においては前記雌ねじ状部３３１が無ねじ部１４に入り込みこの上昇され切った位置においてさらに脚軸１を回転操作させてしまうことによる前記雌ねじ状部３３１の破損を生じさせることはないようになっている。
【００２８】
（昇降体Ｍ）
この昇降体Ｍは、
（１）ベース２
（２）ダイヤル体３
（３）スライダ体４
（４）操作体５
を有している。
【００２９】
（昇降体Ｍ／ベース２）
ベース２は、支持対象物Ｐへの固定部２０を備えている。図示の例では、かかるベース２はアッパーケース２１とロアケース２２とを組み合わせて構成されている。
【００３０】
ロアケース２２は、筒上端および筒下端を共に解放させた円筒状をなすように構成されている。このロアケース２２の筒下端側の外周部には、周回溝２２１が形成されている。また、このロアケース２２の内部には、筒上端側に向いた段差面が形成されている。また、ロアケース２２の内部には、この段差面に筒下端を一体に連接させて上方に突き出す円筒状をなす仕切筒状体２２３が設けられている。この仕切筒状体２２３は、その筒上端をロアケース２２の筒上端よりも下方に位置させている。また、ロアケース２２の側部であって前記周回溝２２１の上方には、仕切筒状体２２３の外面を外部に臨ませると共に、ロアケース２２の周方向に沿って延びる前記操作体５の操作摘み５０の突き出し開放部２２５が形成されている。また、ロアケース２２の側部であって前記周回溝２２１の上方には、前記突き出し開放部２２５の形成位置に対向する位置に、張り出し部２２６が形成されていると共に、この張り出し部２２６にはネジなどの軸状体Ｊの止め付け穴２２７が形成されている。図示の例では、支持対象物Ｐに形成されたネジ穴などにこの止め付け穴２２７を連通させた状態で、このネジ穴などと止め付け穴２２７とに上方から前記軸状体Ｊを入れ込み止め付けることにより、支持対象物Ｐにかかるベース２を固定するようになっている。
【００３１】
一方、アッパーケース２１は、前記ロアケース２２の筒上端を上方から塞ぐ蓋板部２１１を有すると共に、この蓋板部２１１の上部に、ガイド筒部２１２を備えている。
【００３２】
かかるガイド筒部２１２は、ベース２の上部、つまり、かかるアッパーケース２１の蓋板部２１１の上部に、その筒下端を後述する通し抜け空間３０に連通させるようにして備えられると共に、その筒内部に前記脚軸１を通すように構成されている。また、図示の例では、このガイド筒部２１２の筒側部に上下方向に沿った割溝２１３が形成されており、この割溝２１３を通じてガイド筒部２１２に通された脚軸１に抜け止めネジ２１４が止め付けられるようになっている。図示の例では、かかるガイド筒部２１２の直径方向両側にそれぞれ割溝２１３が形成されていると共に、脚軸１における無ねじ部１４の形成位置より上方に抜け止めネジ２１４の通し穴１６が形成されており、この割溝２１３を通じてこの通し穴１６にネジ付けられた抜け止めネジ２１４が昇降体Ｍが上昇され切った位置において一方の割溝２１３の溝下端と他方の割溝２１３の溝下端とにそれぞれ上方から突き当たるようになっている。
【００３３】
これにより、この実施の形態にあっては、昇降体Ｍから予期せず脚軸１が抜け出し、脚軸１と昇降体Ｍとが分離してしまうことがないようになっている。
【００３４】
また、図示の例にあっては、アッパーケース２１には、ロアケース２２との組み合わせ状態においてロアケース２２の突き出し開放部２２５に上方から入り込んで操作摘み５０の肉厚分の寸法を残してこの突き出し開放部２２５を塞ぐ目隠し板部２１５が形成されている。
【００３５】
また、図示の例にあっては、アッパーケース２１の両側部に下方に突き出すと共に、先端にＴ字状部を備えた掛合板片２１６が設けられていると共に、ロアケース２２の外面部に、ロアケース２２の筒上端をアッパーケース２１の蓋板部２１１によって塞ぐように両者を組み合わせた状態において、この掛合板片２１６のＴ字状部２１７における上方に向けられた二カ所の掛合面２１８、２１８にそれぞれ上方から引っかかる掛合突部２２８が形成されている。具体的には、かかる掛合突部２２８は掛合板片２１６の幅寸法分の間隔を開けて形成された二条のリブ状体によって構成されており、掛合板片２１６はこの二条の掛合突部２２８、２２８にそれぞれＴ字状部２１７を上方から突き当てて一旦外向きに弾性変形された後、この掛合突部２２８を乗り越えた位置での弾性復帰により、二条の掛合突部２２８、２２８の一方にＴ字状部２１７の一方腕を引っかけ、かつ、二条の掛合突部２２８、２２８の他方にＴ字状部２１７の他方腕を引っかけるようになっている。
【００３６】
（昇降体Ｍ／ダイヤル体３）
ダイヤル体３は、脚軸１の通し抜け空間３０を有し、この通し抜け空間３０に通された脚軸１を回転中心として回転可能にベース２に組み付けられている。
【００３７】
図示の例では、かかるダイヤル体３は、中央部に貫通穴３１１を備えた円盤状体３１と、この円盤状体３１の上面において筒内空間をこの貫通穴３１１に連通させるようにこの円盤状体３１に筒下端を一体に連接させた筒状体３２とを備えている。円盤状体３１の外周部には、周方向に隣り合う滑り止めリブ３１２との間に間隔を開けて上下方向に延びる複数の滑り止めリブ３１２、３１２…が形成されている。また、円盤状体３１の上面部には、筒状体３２の外面との間に間隔を開けてこの筒状体３２の基部を巡る周回凹部３１３が形成されている。また、この周回凹部３１３内には、片下端をこの周回凹部３１３の底部に一体に連接させて円盤状体３１の上面と同じレベルまで突き出す弾性掛合片３１４が、この周回凹部３１３の周方向において隣り合う弾性掛合片３１４との間にほぼ等しい間隔を開けて四つ設けられている。各弾性掛合片３１４…３１４はそれぞれ、その先端であって筒状体３２の外面に向けられた側に、周回凹部３１３の底部に向いた掛合面３１６を備えた掛合突起３１５を有している。そして、図示の例では、ベース２を構成するロアケース２２の筒下端からダイヤル体３の筒状体３２をこのロアケース２２内に入れ込ませることにより、このロアケース２２の筒下端が前記周回凹部３１３に上方から入り込むと共に、前記周回溝２２１に弾性掛合片３１４が一旦外向きに弾性変形した後の弾発により入り込んでこの周回溝２２１の下側の溝壁２２２に前記掛合突起３１５の掛合面３１６を引っかけるようになっており、これによりロアケース２２の下面にダイヤル体３の円盤状体３１の上面を接しさせた状態でこのロアケース２２、つまり、ベース２にダイヤル体３が回転可能に組み合わされるようになっている。このように組み合わされるダイヤル体３の内部空間、つまり、前記貫通穴３１１と筒状体３２の筒内空間とが前記通し抜け空間３０とされる。図示の例では、脚軸１は、このようにベース２に組み合わされたダイヤル体３の貫通穴３１１と筒状体３２内とを通ってベース２を構成するアッパーケース２１のガイド筒部２１２内に入り込むようになっている。
【００３８】
また、かかるダイヤル体３には、中間部においてこのダイヤル体３に回動可能に組み付けられると共に、前面側の下端部３３２に前記通し抜け空間３０に通された脚軸１の雄ねじ部１５に噛み合う雌ねじ状部３３１を有したロック体３３が備えられている。
【００３９】
図示の例では、ダイヤル体３の筒状体３２の筒側部にこの筒状体３２の筒軸に沿って延びる割溝３２１が形成してあると共に、筒状体３２の筒側部の外面部に、この割溝３２１を間において側方に張り出す一対の支持板部３２２、３２２が形成されている。
【００４０】
一方、ロック体３３は、前記通し抜け空間３０側に向けられた前面と、これと反対の背面と、この前面と背面との間に亘る両側面とを有していると共に、この両側面にロック体３３の上端部３３３と下端部３３２との間において、つまり、中間部において、それぞれ軸突部３３４を有している。そして、かかるロック体３３は、前記一対の支持板部３２２、３２２に設けられた軸穴３２３に、ロック体３３のかかる軸突部３３４を入れ込ませて、ダイヤル体３に回動可能に組み付けられている。すなわち、かかるロック体３３は、その下端部３３２に形成された雌ねじ状部３３１を脚軸１の雄ねじ部１５に噛み合わせた前進位置とこの噛み合わせを解く後退位置との間での回動を可能とされた状態で前記軸突部３３４をもって前記一対の支持板部３２２、３２２間においてダイヤル体３に組み付けられている。
【００４１】
具体的には、かかるロック体３３は、下端部３３２に前方張り出し部３３５を、上端部３３３に後方張り出し部３３６をそれぞれ有している。そして、この前方張り出し部３３５の前面に、前記雌ねじ状部３３１を有している。かかる雌ねじ状部３３１は、前記脚軸１の雄ねじ部１５に噛み合う一条又は複数状の突起をロック体３３の前方張り出し部３３５の前面に形成することで構成することができるが、図示の例では、かかる雌ねじ状部３３１は、脚軸１の雄ねじ部１５に噛み合う形状を持った仮想の雌ねじの一部３３７を、この前方張り出し部３３５の前面に形成させることにより構成されている。
【００４２】
かかるダイヤル体３はその通し抜け空間３０に通された脚軸１の雄ねじ部１５に噛み合う雌ねじ状部３３１を備えたロック体３３を有していることから、支持対象物Ｐに固定されたベース２を軸受けとして回転させることにより脚軸１に沿って上昇又は下降され、この上昇によりベース２を下方から押し上げて昇降体Ｍさらには支持対象物Ｐを上昇させ、この下降により昇降体Ｍさらには支持対象物Ｐを下降させる。
【００４３】
（昇降体Ｍ／スライダ体４）
スライダ体４は、前記通し抜け空間３０を囲うリング状をなすと共に、上下方向に移動可能にベース２に組み合わされ、かつ、付勢手段６によって下降位置に位置づけられるようにされている。
【００４４】
図示の例にあっては、かかるスライダ体４は、筒上下端を共に解放させた短寸の円筒状をなすように構成されている。また、かかるスライダ体４は、ベース２を構成するロアケース２２の前記仕切筒状体２２３の内径よりも外径をやや小さくするように構成されており、このスライダ体４の側部外面にこのスライダ体４の筒軸に沿って延びるように形成された案内リブ４０を仕切筒状体２２３に形成されたこの仕切筒状体２２３を複数箇所に分割する割溝２２４に仕切筒状体２２３の内側から入れ込ませるように、この仕切筒状体２２３内にスライダ体４をその筒下端側から入れ込ませることにより、ベース２に対して上下方向にのみ移動可能な状態で組み合わされるようになっている。
【００４５】
また、図示の例にあっては、かかるスライダ体４の筒上端に外向きに張り出す周回フランジ４１が形成されている。そして、図示の例にあっては、前記付勢手段６の付勢によってロアケース２２の仕切筒状体２２３の筒上端にこの周回フランジ４１の下面が突き当てられるようになっている。図示の例にあっては、かかる付勢手段６を、バネ上端をベース２を構成するアッパーケース２１の蓋板部２１１の下面に押し当て、かつ、バネ下端をこのスライダ体４の周回フランジ４１の上面に押し当てるようにベース２内に組み込まれた圧縮コイルバネ６０によって構成させている。
【００４６】
また、図示の例にあっては、かかるスライダ体４の周回フランジ４１の下面であって、ロアケース２２の仕切筒状体２２３の筒上端より外側に位置される箇所に、後述するカム部４２が形成されている。
【００４７】
また、かかるスライダ体４のリング内周部には、このスライダ体４の下降位置（図示の例ではスライダ体４の周回フランジ４１の下面がロアケース２２の仕切筒状体２２３の筒上端に突き当てられた位置）においてロック体３３の回動組み付け位置より下方においてこのロック体３３の背面に押し当たってこのロック体３３の下端部をその雌ねじ状部３３１を脚軸１の雄ねじ部１５に噛み合わせるように前進位置に位置づけさせる周回押圧部４３が形成されている。
【００４８】
（昇降体Ｍ／操作体５）
操作体５は、通し抜け空間３０を囲うリング状をなすと共に、脚軸１の軸線を巡る向きに回動操作可能にベース２に組み合わされ、かつ、前記付勢手段６によって上方からスライダが常時押し付けられるように構成されている。
【００４９】
図示の例では、かかる操作体５は、ロアケース２２の仕切筒状体２２３の外径とほぼ等しい内径を備えるように構成されている。そして、この仕切筒状体２２３の筒上端側からこの仕切筒状体２２３を内側に納めるようにして、ロアケース２２に組み合わされ、この仕切筒状体２２３の外周面に案内されて前記脚軸１の軸線を巡る向きに回動操作できるようになっている。
【００５０】
また、この操作体５の側部には、舌片状をなす操作摘み５０が形成されており、この操作摘み５０はロアケース２２の突き出し開放部２２５を通じてロアケース２２の外側、つまり、ベース２の外面から外方に突き出されている。そして、かかる操作体５は、この突き出し開放部２２５の周方向の長さの範囲内において操作摘み５０を把持して前記のように回動させることができるようになっている。
【００５１】
かかる操作体５は、その上端部を前記付勢手段６の付勢により下方に押し込まれる前記スライダ体４の周回フランジ４１の下面部に、前記ロアケース２２の仕切筒状体２２３の外側において常時接触させるようになっている。
【００５２】
そして、この実施の形態にあっては、かかるスライダ体４及び操作体５の双方に、操作体５の回動操作によって前記付勢手段６の付勢に抗してスライダ体４を上昇位置まで押し上げるように形成されたカム部４２、５１が形成されている。そして、このスライダ体４の上昇位置においてスライダ体４の周回押圧部４３がロック体３３の回動組み付け位置より上方においてこのロック体３３の背面（図示の例では、前記後方張り出し部３３６）に押し当たってこのロック体３３の下端部がその雌ねじ状部３３１を脚軸１の雄ねじ部１５に噛み合わせない後退位置に位置づけられるようになっている。（図２／同図において符号３３４で示される軸突部の形成位置が前記回動組み付け位置となる。）
【００５３】
図示の例では、スライダ体４のカム部４２は、このスライダ体４の周回フランジ４１の下面から下方に突き出すと共にこのスライダ体４の周方向に延びる突部４２１の頂部４２２を挟んだ一方側にこの頂部４２２に向かうに連れて次第に高まる傾斜面４２３を形成させることにより構成されている。
【００５４】
また、操作体５のカム部５１は、この操作体５の上端部から上方に突き出すと共にこの操作体５の周方向に延びる突部５１１の頂部５１２を挟んだ他方側にこの頂部５１２に向かうに連れて次第に高まる傾斜面５１３を形成させることにより構成されている。
【００５５】
そして、図示の例では、スライダ体４の下降位置においては、前記付勢手段６の付勢により、スライダ体４のカム部４２の傾斜面４２３と操作体５のカム部５１の傾斜面５１３とが接し合った状態で、このスライダ体４のカム部４２の頂部４２２が操作体５のカム部５１の基部近傍の操作体５の上端面に突き当てられ、かつ、この操作体５のカム部５１の頂部５１２がスライダ体４のカム部４２の基部近傍の周回フランジ４１の下面に突き当てられるようになっている。
【００５６】
このようにスライダ体４が下降位置にある状態から操作体５のカム部５１の頂部５１２がスライダ体４のカム部４２の傾斜面４２３を乗り上がる向きに操作体５を回動操作すると、スライダ体４のカム部４２の傾斜面４２３および操作体５のカム部５１の傾斜面５１３のこの傾斜によって、スライダ体４は前記付勢手段６の付勢に抗して前記上昇位置まで押し上げられ、脚軸１の雄ねじ部１５に対するロック体３３の雌ねじ状部３３１のかみ合わせが前記のように解かれる。
【００５７】
このようにスライダ体４が上昇位置に押し上げられた状態から操作体５の回動操作を止めると、具体的には、操作体５の操作摘み５０をリリースすると、スライダ体４のカム部４２の傾斜面４２３および操作体５のカム部５１の傾斜面５１３のこの傾斜によって、前記付勢手段６によって付勢されているスライダ体４は再び下降位置に向けて移動されると共に、このスライダ体４の移動により操作体５は回動操作前の位置に向けて逆転され、脚軸１の雄ねじ部１５に対してロック体３３の雌ねじ状部３３１がかみ合わされた状態への復帰がなされる。
【００５８】
なお、図示の例にあっては、スライダ体４及び操作体５の双方にそれぞれ、脚軸１の軸線を巡る向きにおいて隣り合うカム部４２、５１との間にほぼ等しい間隔を開けて二カ所以上のカム部４２、５１が形成してある。
【００５９】
これにより、図示の例にあっては、前記付勢手段６の付勢によって下方に位置づけられているスライダ体４を、操作体５の回動操作によって、このスライダ体４に水平方向の傾きを生じさせることなく、円滑に上昇させることができるようになっている。
【００６０】
（機能）
支持対象物Ｐにベース２の固定部２０によって取り付けられた脚装置は、ダイヤル体３を回転操作させることにより、昇降体Ｍの下面と脚軸１の接地部１０との間の寸法を変え、これにより、支持対象物Ｐの高さの微調整が可能とされる。すなわち、ダイヤル体３はロック体３３を有し、このロック体３３はその雌ねじ状部３３１を脚軸１の雄ねじ部１５に噛み合わせていることから、ダイヤル体３を回転させるとダイヤル体３は脚軸１に沿って螺進又は螺退され、このダイヤル体３に回転可能に組み合わされているベース２も上昇又は下降される。これにより、少しづつ支持対象物Ｐの高さを変えることができる。この支持対象物Ｐの高さの微調整にあたっては、脚軸１自体は回転されないことから、この微調整にあたって支持対象物Ｐのセッティング位置が変わってしまうことがない。
【００６１】
ここで前記スライダ体４のリング内周部には、このスライダ体４の下降位置においてロック体３３の回動組み付け位置より下方においてこのロック体３３の背面に押し当たってこのロック体３３の下端部をその雌ねじ状部３３１を脚軸１の雄ねじ部１５に噛み合わせるように前進位置に位置づけさせる周回押圧部４３が形成されていることから、このダイヤル体３の回転操作によりどの位置にロック体３３が移動してもロック体３３は前記前進位置に適切に位置づけられる。
【００６２】
また、付勢手段６による付勢に抗してスライダ体４を上昇位置に押し上げるように操作体５を回動操作させることにより、ロック体３３を前記後退位置に移動させることができ、これによって脚軸１に沿って昇降体Ｍを大幅に上昇又は下降させることができる。すなわち、スライダ体４が上昇位置に移動されるとこのスライダ体４の周回押圧部４３がロック体３３の回動組み付け位置より上方においてこのロック体３３の背面に押し当たってこのロック体３３の下端部がその雌ねじ状部３３１を脚軸１の雄ねじ部１５に噛み合わせない後退位置に移動・位置づけられる。これにより、支持対象物Ｐの高さを大幅調整することができる。
【図面の簡単な説明】
【００６３】
【図１】脚装置の利用状態を示した一部破断側面図
【図２】脚装置の利用状態を示した一部破断側面図
【図３】脚装置の利用状態を示した一部破断側面図
【図４】脚装置の利用状態を示した側面図
【図５】脚装置の利用状態を示した側面図
【図６】脚装置の平面図（想像線は操作体５の操作摘み５０の最大移動位置を示す。）
【図７】脚装置を構成する部品の一部の分解断面図
【図８】脚軸１の側面図
【図９】アッパーケース２１の側面図
【図１０】アッパーケース２１の平面図
【図１１】ロアケース２２の正面図
【図１２】ロアケース２２の平面図
【図１３】ロアケース２２の右側面図
【図１４】ダイヤル体３の正面図
【図１５】ダイヤル体３の平面図
【図１６】ダイヤル体３の左側面図
【図１７】ダイヤル体３の底面図
【図１８】スライダ体４の正面図
【図１９】スライダ体４の平面図
【図２０】スライダ体４の底面図
【図２１】操作体５の正面図
【図２２】操作体５の平面図
【図２３】ロック体３３の正面図
【図２４】ロック体３３の平面図
【図２５】ロック体３３の底面図
【符号の説明】
【００６４】
Ｐ  支持対象物
１  脚軸
１０  接地部
１５  雄ねじ部
Ｍ  昇降体
２  ベース
２０  固定部
３  ダイヤル体
３０  通し抜け空間
３３  ロック体
３３１  雌ねじ状部
３３２  下端部
４  スライダ体
４２  カム部
４３  周回押圧部
５  操作体
５１  カム部
６  付勢手段
【図１】
2005299760.tif 000003
【図２】
2005299760.tif 000004
【図３】
2005299760.tif 000005
【図４】
2005299760.tif 000006
【図５】
2005299760.tif 000007
【図６】
2005299760.tif 000008
【図７】
2005299760.tif 000009
【図８】
2005299760.tif 000010
【図９】
2005299760.tif 000011
【図１０】
2005299760.tif 000012
【図１１】
2005299760.tif 000013
【図１２】
2005299760.tif 000014
【図１３】
2005299760.tif 000015
【図１４】
2005299760.tif 000016
【図１５】
2005299760.tif 000017
【図１６】
2005299760.tif 000018
【図１７】
2005299760.tif 000019
【図１８】
2005299760.tif 000020
【図１９】
2005299760.tif 000021
【図２０】
2005299760.tif 000022
【図２１】
2005299760.tif 000023
【図２２】
2005299760.tif 000024
【図２３】
2005299760.tif 000025
【図２４】
2005299760.tif 000026
【図２５】
2005299760.tif 000027